(57)【要約】【課題】メーカー名や商品名といった商品のアピール要素を増幅させる販促品収容容器とこの販促品収容容器が装着された販促品収容容器付き本商品を提供する。【解決手段】本発明によれば，本商品の販促品４００を収容するための販促品収容容器１００であって，本商品を収容する本商品収容容器の底部に，この本商品収容容器自体を嵩上げするように着脱自在に装着可能であり，装着時には，上記本商品収容容器の底部により，上記販促品取出口３０２が閉止されることを特徴とする販促品収容容器１００と，この販促品収容容器が装着された本商品収容容器が提供される。この販促品収容容器１００および本商品収容容器を用いることにより，メーカー名や商品名といった商品をアピールする要素を増幅させることが可能となる。【選択図】図３
2007015764.tif 000002
【特許請求の範囲】
【請求項１】
本商品の販促品を収容するための販促品収容容器であって，本商品を収容する本商品収容容器の底部に前記本商品収容容器自体を嵩上げするように着脱自在に装着可能であり，装着時には前記本商品収容容器の底部により前記販促品取出口が閉止されることを特徴とする，販促品収容容器。
【請求項２】
取り外し時には単独で小物容器として機能させることが可能であることを特徴とする，請求項１に記載の販促品収容容器
【請求項３】
前記販促品収容容器は，装着時には販促品を固定するように機能する中蓋を備えていることを特徴とする，請求項１または２に記載の販促品収容容器。
【請求項４】
前記中蓋には，貫通孔が形成されており，前記貫通孔は，前記販促品収容容器に収容される小物の出し入れ口として機能することを特徴とする，請求項３に記載の販促品収容容器
【請求項５】
前記貫通孔には，少なくとも一部に磁石が装着されることを特徴とする，請求項４に記載の販促品収容容器。
【請求項６】
請求項１〜請求項５のいずれかに記載の販促品収容容器に販促品が収容され，
前記販促品が収容された販促品収容容器が，本商品の底部に装着されることを特徴とする，本商品収容容器。
【発明の詳細な説明】
【技術分野】
【０００１】  本発明は，販促品収容容器と本商品収容容器に関する。
【背景技術】
【０００２】  景品を収容した容器を缶飲料などの商品の上部に装着したり（特許文献１），取り付け用の穴を設けた袋の中に景品を封入し，ペットボトル飲料などの飲み口のところに引っかけたりして，競合他社の商品と差別化を図り，売り上げを伸ばすとともに，商品のアピールを行うことが，従来から行われている。【０００３】  一方，景品を商品に付属させて差別化を図る方法とは別に，複数の商品を上に乗せることが可能な，その商品専用の陳列台を備品として作り，その上に商品を載せて宣伝を図るという方法も従来から行われている。これは，当業者間で，同種の商品のサイズがほぼ規格化されてしまっていることを利用し，自社商品を専用の陳列台の上に載せ，自社のメーカー名や商品名を他社商品のものよりも相対的に高い位置におくことで，商品のアピール力を向上させようという方法である。【０００４】
【特許文献１】特開２００４−８３１０９号公報
【発明の開示】
【発明が解決しようとする課題】
【０００５】  しかしながら，コーヒー，ジュース等といった特定の種類の商品を購入する際に，多くの消費者は，購入する商品のメーカーや商品名をあらかじめ決めていない場合が多い。商品の上部にベタ付用容器を装着して商品をアピールした場合に，上記のような消費者は，最初に視界に入ったベタ付の景品もしくはベタ付用容器にのみ気を取られ，商品を製造しているメーカー名や商品名などは，商品を購入する要因として二の次になってしまう。そのため，ベタ付の景品が付属しているキャンペーン期間のみは，メーカーの売り上げは増加するが，上記の期間が終了すれば，メーカー名や商品名を記憶していない消費者は，自社商品を購入しなくなり，結果的に，キャンペーン以前の売り上げとほとんど変化がない，ということになってしまうという問題点があった。【０００６】  ペットボトル飲料などの飲み口の部分にベタ付の景品が引っかけてある場合も，上記の場合と同様であって，消費者はベタ付されている景品に気を取られ，商品のメーカー名や商品名は，それほど気にとめていない場合が多い。加えて，この場合には，ベタ付されている景品によって，商品を特徴づける重要な要素であるメーカー名や商品名の一部が隠されてしまうという問題があった。【０００７】  また，上記の台を設ける方法は，商品を陳列するスペースが台の大きさ単位に限定されてしまうため，店舗側としては商品を設置する場所や設置形態を自由にレイアウトできないという問題があった。【０００８】  そこで，本発明は，このような問題に鑑みてなされたもので，その目的は，メーカー名や商品名といった商品のアピール要素を増幅させる販促品収容容器と本商品収容容器を提供することにある。
【課題を解決するための手段】
【０００９】  上記課題を解決するために，本発明のある観点によれば，本商品の販促品を収容するための販促品収容容器であって，本商品を収容する本商品収容容器の底部に上記の本商品収容容器自体を嵩上げするように着脱自在に装着可能であり，装着時には上記の本商品収容容器の底部により上記販促品取出口が閉止されることを特徴とする販促品収容容器が提供される。【００１０】  上記のような販促品収容容器を本商品に装着することにより，この販促品収容容器を装着された商品は，メーカー名や商品名といった商品をアピールする要素が，他社の商品よりも相対的に高い位置に位置することになり，人の目に付きやすくなるため，商品のアピール力が増幅されることとなる。【００１１】  上記の販促品収容容器を本商品から取り外した際には，この販促品収容容器が単独で小物容器として機能することが可能である。【００１２】  上記のように販促品収容容器をデザインすることにより，従来では販促品を取り出した後は単なるゴミとなっていた上記の販促品収容容器が，新たな２つ目の販促品となることができる。従来のものと比べ，廃棄されるゴミが空となった本商品の収容容器のみとなるため，結果的にゴミの量が削減されることとなる。【００１３】  上記の販促品収容容器は，装着時には販促品を固定するように機能する中蓋をそなえているようにすることも可能である。【００１４】  上記のような中蓋を備えることで，従来のように販促品を両面テープなどで販促品収容容器に固定する必要がなくなるため，販促品収容容器の製造工程が簡略化されることとなる。【００１５】  上記の中蓋には，貫通孔が形成されており，この貫通孔は，上記の販促品収容容器に収容される小物の出し入れ口として機能することも可能である。【００１６】  上記のように貫通孔を中蓋に形成し，この中蓋を販促品収容容器に装着することにより，中蓋が装着された販促品収容容器が，例えば，硬貨の投入しやすさを考慮した貯金箱等として利用されることが可能となる。【００１７】  また，上記の貫通孔には，少なくとも一部に磁石が装着されることも可能である。【００１８】  このような磁石が装着された貫通孔を中蓋に設けることにより，中蓋が装着された販促品収容容器が，クリップもしくは画鋲が取り出しやすく，販促品収容容器をひっくり返してもこれらクリップや画鋲がこぼれる可能性を少なくできるクリップケースもしくは画鋲入れとして利用されることが可能となる。【００１９】  上記課題を解決するために，本発明の別の観点によれば，上で述べた販促品収容容器に販促品が収容され，この販促品が収容された販促品収容容器が本商品の底部に装着された本商品収容容器が提供される。【００２０】  上記のような本商品収容容器を製造することで，この商品のメーカー名や商品名といった商品のアピール要素が増幅され，この商品の売り上げを伸ばすことが可能となる。
【発明の効果】
【００２１】  本発明によれば，メーカー名や商品名といった商品のアピール要素を増幅させることが可能な販促品収容容器と本商品収容容器を提供することができる。
【発明を実施するための最良の形態】
【００２２】  以下に添付図面を参照しながら，本発明の好適な実施の形態について詳細に説明する。なお，本明細書及び図面において，実質的に同一の機能構成を有する構成要素については，同一の符号を付することにより重複説明を省略する。【００２３】  以下に，本発明の一実施形態として，缶コーヒーや缶ジュースなどの缶飲料に，本発明の一実施形態における販促品収容容器を取り付ける場合について説明する。なお，本発明に係る販促品収容容器を取り付ける本商品は，上記のものに限定されるわけではなく，例えば，ペットボトルや瓶に入った飲料や缶詰，瓶詰といった食品などの飲食物の容器や，化粧水の容器といった非飲食物の容器にも適用することが可能である【００２４】  また，以下に示す本発明の各実施形態において，販促品収容容器の形状が略円筒形である場合を用いて説明を行うが，本発明に係る販促品収容容器の形状は上記のものに限定されるわけではなく，販促品収容容器が装着される本商品収容容器の底部の断面形状に合わせて，販促品収容容器の形状を決定することができる。【００２５】  本発明の各実施形態に係る販促品収容容器によって，商品に販促品を添付することが可能となる。また，この販促品収容容器を商品の底部に装着させることにより，商品自体嵩上げすることができ，商品を効果的にアピールすることが可能となる。また，販促品を取り出した後の販促品収容容器が，小物容器として使用することが可能となる。以下では，上記の小物容器の一例として，販促品収容容器がクリップケースとして利用可能となる場合について，詳細に説明を行う。【００２６】  図１は，本発明の一実施形態に係る販促品収容容器１００を装着した本商品である，プルトップ１１を備えた缶飲料１０が陳列されている様子を説明するための説明図である。【００２７】  コンビニエンスストアなどの店頭において，各メーカーから発売されている同種の商品は，まとまって陳列されている場合が多い。具体的には，陳列ケースの中のある部分は，様々なメーカーが発売している缶コーヒーがまとめて陳列されており，別のある部分は，缶ジュースがまとめて陳列されているというような状況になっている。また，同種の商品は，メーカー間で大きさなどの形状がある程度規格化されている場合が多い。従来の販促品収容容器の場合，販促品収容容器が缶飲料の上部に装着されることで，販促品収容容器が装着された缶飲料全体の背丈が他社のものよりも高くなり，消費者の視線を引きつけるという役割を果たしていた。しかし，従来の方法では，商品の背丈が高くなることで消費者にアピールされていたものは販促品収容容器そのものであって，消費者の視線も必然的に販促品収容容器だけに集中することとなる。そのため，メーカー名や商品名といった商品をアピールする重要な要素は，他社のものと変わらない位置に存在することとなり，これらの要素を，消費者に効果的に記憶させることができなかった。【００２８】  ところが，図１に示した本実施形態にかかる販促品収容容器１００は，販促品収容容器が商品である缶飲料１０の底部に嵌合されており，その結果販促品収容容器１００を取り付けられた缶飲料１０の背丈が他社のものよりも高くなっている。背丈が高くなった結���消費者の視線が集中する部分には，メーカー名や商品名といった，商品をアピールする重要な要素が記載された缶飲料の本体が位置することとなり，消費者にこれらの要素を効果的に記憶させることができる。その結果，メーカー名や商品名といった要素のアピール力が飛躍的に向上するとともに，他社商品との差別化を図ることが可能となる。さらに，例えば景品を付属させるキャンペーン期間が終了した後も，消費者の記憶の中にメーカー名や商品名が残っているため，消費者は商品を期間後も購入してくれるようになり，売り上げを伸ばすことが可能となる。【００２９】    図２Ａは，本実施形態に係る販促品収容容器を装着した缶飲料の全体を示した，斜視図である。また，図２Ｂは，本実施形態に係る販促品収容容器の斜視図である。【００３０】  図２Ａを参照すると，本実施形態に係る販促品収容容器１００は，缶の形状に合わせて略円筒形となっており，商品である缶飲料１０の底部に配設されている。図２Ｂを参照すると，販促品収容容器１００は，貫通孔２０１を備えた中蓋２００と，開口部３０２を備えた収容容器本体３００とからなっていることがわかる。また，本実施形態の場合，中蓋自体を取り付けることで，販促品収容容器を小物容器として機能させるために，収容容器本体に装着される部材となっており，中蓋を収容容器本体に装着することで，販促品を取り出した後の販促品収容容器が，クリップケースとして利用可能となる。【００３１】  図３は，図２Ｂに示した切断線Ａ−Ａで本実施形態に係る販促品収容容器１００を切断した，断面図である。【００３２】  図３を参照すると，本実施形態にかかる販促品収容容器１００は，中蓋２００，収容容器本体３００，および販促品４００から構成されている。販促品４００は，収容容器本体３００の内部に収容され，中蓋２００により固定されていることがわかる。また，収容容器本体３００には，販促品４００を出し入れするための開口部３０２が形成される。また，収容容器本体３００の内壁部には，中蓋２００を保持するための中蓋保持部３０１と，缶飲料１０と連結させるための商品保持部３０３が，それぞれ所定の位置に形成されている。これらの保持部により，中蓋２００や缶飲料１０が，着脱自在に収容容器本体３００に接合されることとなる。なお，上記中蓋保持部３０１が，商品保持部３０３に比べ，収容容器本体３００のより底面側に配設されることは言うまでもない。【００３３】  上記の中蓋保持部３０１は，収容容器本体３００の内壁部に，２つのリング状の突起物が中蓋２００の厚みに対応する間隔をあけて配設されたものであっても良い。また，中蓋保持部３０１は，収容容器本体３００の内壁部に中蓋２００の厚みに対応する幅で設けられた嵌合凹部であってもよい。また，本実施形態における中蓋保持部の形状や中蓋の保持方法が，上記のものに限定されるわけではなく，中蓋を保持することができ，しかも着脱自在となるものであれば，どのような形状や手段であっても使用可能である。【００３４】  商品保持部３０３は，収容容器本体３００の内壁部の一部に突出形成された突起物であっても良い。また，商品保持部３０３は，収容容器本体３００の内壁部にリング状に突出形成された突起物であっ��も良い。また，本実施形態における商品保持部３０３の形状や商品の保持方法が，上記のものに限定されるわけではなく，商品を保持することができ，しかも商品と着脱自在に接合しうるものであれば，いずれの形状や手段であっても使用可能である。【００３５】  また，中蓋２００は，販促品４００を固定するためのものであり，同時に，収容容器本体３００に形成された開口部３０２を閉塞するためのものである。従来の方法では，袋詰め等をされた販促品を両面テープなどの部材を用いて販促品収容容器に固定していたため，作業工程が煩雑であったが，本実施形態のように，中蓋が販促品の固定部材を兼ねることにより，工程の簡略化を図ることが可能となる。【００３６】  中蓋２００や収容容器本体３００を形成する材料として，例えば，アルミニウムや鉄などの金属や合金，プラスチック，あるいは紙などを用いることができる。しかし，本実施形態における中蓋や販促品収容容器を形成する材料が，上記のものに限定されるわけではなく，公知の様々な材料を使用することができる。また，中蓋２００を収容容器本体３００に着脱する際の容易さを考え，中蓋２００が撓むことができるような材料を用いて形成することも可能である。【００３７】  図４は，本発明の一実施形態における中蓋２００を上部から見た平面図である。【００３８】  図４を参照すると，中蓋２００の一部分には，例えば，半円形の貫通孔２０１が形成されていることがわかる。貫通孔２０１が形成されていない部分は，例えば，収容されている販促品４００を飾っておくためのディスプレイ台として使用することも可能である。また，本実施形態における貫通孔２０１の形状は，図５のような半円形に限定されるわけではなく，長方形や正方形であってもよいし，円形や楕円形であってもよい。また，三角形や五角形などの多角形であってもよい。また，この貫通孔２０１は，クリップを取り出す際の取り出し口となるだけでなく，中蓋２００を収容容器本体３００から取り外す際に，指などを引っかける穴としても使用できる。また，収容されている販促品４００が図３に示したようなキャラクターフィギュアである場合に，このフィギュアを固定した状態でディスプレイするための販促品固定部材２０３を設けることもできる。【００３９】  また，中蓋２００が，販促品収容容器１００が小物容器として機能するための必須の部材ではない場合には，中蓋２００に貫通孔２０１を形成しなくてもよい。また，中蓋２００には，貫通孔２０１以外にも，必要に応じて様々な部材を設けることが可能である。例えば，中蓋２００に貫通孔を設けない場合には，中蓋２００に，中蓋２００を収容容器本体３００から取り外す際に用いる取っ手を設けることも可能である。また，上記の販促品固定部材２０３は，図４に示したようなフィギュアの周りを保持するものでもよいし，フィギュアの底部に突起を設けておき，この突起を嵌挿するための貫通孔であってもよい。【００４０】  図５Ａおよび図５Ｂは，図４の中蓋２００を，切断線Ｂ−Ｂに沿って切断した際の断面図である。【００４１】  図５Ａおよび図５Ｂを参照すると，中蓋２００に形成される貫通孔２０１は，収容容器本体３００の底面側の貫通孔開口部２０１ｂの面積が，収容容器本体３００の開口部側の貫通孔開口部２０１ａの面積より小さくなるように形成されている。このように貫通孔２０１を形成することにより，貫通孔２０１の側面は，図５Ａのように，側面の一部は垂直であり，一部は傾斜面となっているような形状にすることができる。また，図５Ｂのように，貫通孔２０１の側面全体が傾斜面となるように形成することも可能である。貫通孔開口部２０１ｂの開口部面積が貫通孔開口部２０１ａの開口部面積よりも小さくなることで，例えば，クリップを収容した販促品収容容器１００を逆さまにしたとしても，クリップが外に出にくくなるようにできる。【００４２】  また，貫通孔２０１の傾斜面部分に磁石２０２を装着することも可能である。磁石２０２を装着することで，販促品収容容器１００を逆さまにしても，クリップが外に出てきてしまうことが少なくなるほか，通常クリップを取り出す場合でも，取り出すクリップと一緒に動いてきた別のクリップが磁石２０２により保持され，次にクリップを取り出す際に，容易に取り出すことができる。このように，本実施形態における販促品収容容器１００は，クリップケースとして機能することとなる。【００４３】  また，クリップケースとして使いやすいように，缶を取り外した後に不要となった中蓋保持部３０１よりも上部に位置する収容容器本体３００の側面を，容易に取り外せるように加工しておくことも可能である。【００４４】  また，収容容器本体３００の側面には，缶飲料１０を宣伝するために，例えば商品名やメーカー名のシール等を貼るなどすることが可能である。また，例えば側面にメーカー名や商品名などを浮き彫り等にするなどして，缶自体を捨ててしまった後も，缶飲料１０を宣伝し続けることも可能である。【００４５】  図６は，本実施形態における販促品収容容器１００を製造する方法の流れ図である。【００４６】  ステップＳ１０は，開口部，中蓋保持部，商品保持部を含む収容容器本体からなる販促品収容容器に，販促品を収容する段階である。上記の販促品収容容器を形成する材料は，アルミニウムや鉄などの金属や合金，プラスチック，あるいは紙などを用いることが可能である。また，開口部，中蓋保持部，商品保持部を形成する方法は，公知の様々な技術を利用可能である。【００４７】  ステップＳ２０は，ステップＳ１０で形成された収容容器本体に，上記の収容容器本体の開口部を閉塞し，販促品を固定する中蓋を装着する段階である。この中蓋の一部には，上で説明したような貫通孔が形成されており，販促品を取り出した後は，販促品収容容器自体がクリップケースとして利用可能となるようになっている。また，中蓋を形成するための材料は，販促品収容容器を形成する材料と同じでも良いし，異なる材料を使用しても良い。【００４８】  上記のステップＳ２０までの段階で，販促品を収容した販促品収容容器が完成する。【００４９】  ステップＳ３０は，完成した販促品収容容器を，缶飲料の底部に装着する段階である。【００５０】  ステップＳ３０については，メーカーの工場で行ってもよいし，缶飲料と販促品収容容器を別個に店舗に配送し，店舗で缶飲料を陳列する際に行うことも可能である。【００５１】  今まで説明したように，本実施形態にお���る販促品収容容器１００は，販促品４００を缶飲料１０に添付できるようになるだけでなく，缶飲料１０自体の高さを嵩上げすることにより，メーカー名や商品名が競合他社の商品よりも高い場所に位置することとなり，商品のアピール力を増幅させることができる。さらに，販促品４００を取り出した後の販促品収容容器１００が，クリップケースとして利用できるようになる。【００５２】  図７は，本発明の第２実施形態における販促品収容容器１１０の断面図である。【００５３】  本実施形態における販促品収容容器１１０は，中蓋２００と，収容容器本体３１０と，販促品４００とから構成されている。本実施形態における収容容器本体３１０は先細の略円錐形状であり，収容容器本体３１０の断面がテーパー形状となるように形成される。このように収容容器本体３１０の形状を形成することにより，本実施形態における収容容器本体３１０は，中蓋２００を，例えば収容容器本体３１０に押し込むだけで固定できるようになる。そのため，第１実施形態における中蓋保持部３０１に相当する保持手段を設けなくてもよくなるため，工程上の手間を省き，製造コストを削減することが可能である。【００５４】  図８は，本発明の第３実施形態における販促品収容容器１２０の断面図である。【００５５】  上記の第１実施形態および第２実施形態は，中蓋の直径が収容容器本体の内径とほぼ同じ大きさか，それよりも小さくなっており，中蓋が収容容器本体内部に挿入され保持される実施形態であったが，第３実施形態は，中蓋の方が収容容器本体よりも大きな径を有する場合であって，中蓋を販促品収容容器の一部として形成し，販促品を収容している部分を取り外し可能となるように形成する実施形態である。【００５６】  本実施形態の販促品収容容器１２０は，中蓋２１０と，収容容器本体３２０と，販促品４００とから構成されている。本実施形態における中蓋２１０の一部には，貫通孔２０１が形成されている。また，中蓋２１０の内壁部には，缶飲料１０と接合するための，商品保持部２０５が形成されている。商品保持部２０５は，中蓋の缶飲料１０と接する内壁部にリング状に突出形成された突起部でも良いし，中蓋の缶飲料１０と接する内壁部の一部分に形成された突起物であっても良い。また，本実施形態における商品保持部２０５の形態や保持方法は上記のものに限定されるわけではなく，商品を保持すると同時に，着脱自在となるようなものであれば，いずれの形態や保持方法でも使用することができる。【００５７】  また，中蓋２１０には，収容容器本体３２０を保持するための，収容容器本体保持部２０６が設けられる。収容容器本体保持部２０６は，中蓋２１０の収容容器本体３２０と接する内壁部にリング状に，もしくは一部分に設けられた突起物でも良いし，中蓋２１０を収容容器本体３２０にねじ込んで保持する方法でもよい。【００５８】  本実施形態における収容容器本体３２０は，その外壁部に中蓋を保持するための中蓋保持部３２２が形成されている。この中蓋保持部３２２は，中蓋２１０に形成された突起物に嵌合するような嵌合凹部であっても良いし，中蓋２１０と収容容器本体３２０とをねじ込み方式で保持しても良い。また，本発明における収容容器本体保��部および中蓋保持部は，上記の例に限定されず，中蓋と収容容器本体が保持されると同時に，着脱自在となるようなものであれば，いずれも使用可能である。【００５９】  上述した各実施形態においては，販促品収容容器がクリップケースとなる場合について詳細に説明したが，貯金箱，アクセサリー入れ，もしくは画鋲入れとなる場合であってもよい。【００６０】  また，上述した各実施形態は，販促品収容容器を構成する収容容器本体以外の部材が，収容容器本体を他の用途に利用するための部材であったが，収容容器本体に販促品以外の上記部材が収容されている場合も考えられる。【００６１】  収容容器本体に販促品とともに収容されている部材が，収容容器本体を他の用途に利用するための部材となる例として，例えば，図９に第４実施形態として示す，販促品収容容器が計量スプーンとなる例が考えられる。【００６２】  図９は，収容容器本体が計量スプーンとなる例について説明した説明図である。【００６３】  図９を参照すると，収容容器本体３３０の中に，販促品（図示せず）のほかに，収容容器本体を他の用途に利用するための部材である柄５００が，もう一つの販促品として収容されている。また，収容容器本体３３０に，内容量を示す標線をあらかじめ設けておく。販促品を取り出した後に，販促品とともに収容されていた柄５００を取り出し，この柄５００を収容容器本体３３０に装着することで，柄５００を装着された収容容器３３０自体が，計量スプーンとして利用可能となることがわかる。【００６４】  以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６５】  本発明は，商品１つに１つの販促品を付属させる販促品収容容器として適用可能である。
【図面の簡単な説明】
【００６６】
【図１】本発明の第１〜第４実施形態における販促品収容容器が装着された商品が並んでいる様子を説明するための説明図である。
【図２Ａ】本発明の第１実施形態における販促品収容容器が装着された商品の全体を示した斜視図である。
【図２Ｂ】本発明の第１実施形態における販促品収容容器の斜視図である。
【図３】本発明の第１実施形態における販促品収容容器の断面図である。
【図４】本発明の第１実施形態における中蓋の平面図である。
【図５Ａ】本発明の第１実施形態における中蓋の断面図である。
【図５Ｂ】本発明の第１実施形態における中蓋の断面図である。
【図６】本発明の第１実施形態における販促品収容容器の製造方法を示す流れ図である。
【図７】本発明の第２実施形態における販促品収容容器の断面図である。
【図８】本発明の第３実施形態における販促品収容容器の断面図である。
【図９】本発明の第４実施形態における販促品収容容器の斜視図である。
【符号の説明】
【００６７】  １０      缶飲料
１１      プルトップ
１００，１１０，１２０      販促品収容容器
２００，２１０      中蓋
２０１      貫通孔
２０１ａ      収容容器本体開口部側の貫通孔開口部
２０１ｂ      収容容器本体底面側の貫通孔開口部
２０２      磁石
２０３      販促品固定部材
２０５      商品保持部
２０６      収容容器本体保持部
３００，３１０，３２０，３３０      収容容器本体
３０１，３２２      中蓋保持部
３０２      開口部
３０３      商品保持部
４００      販促品
５００      柄
【図１】
2007015764.tif 000003
【図２Ａ】
2007015764.tif 000004
【図２Ｂ】
2007015764.tif 000005
【図３】
2007015764.tif 000006
【図４】
2007015764.tif 000007
【図５Ａ】
2007015764.tif 000008
【図５Ｂ】
2007015764.tif 000009
【図６】
2007015764.tif 000010
【図７】
2007015764.tif 000011
【図８】
2007015764.tif 000012
【図９】
2007015764.tif 000013